(57)【要約】【課題】引戸取付体の円滑な動きを得ることができる引戸装置を提供する。【解決手段】引戸装置は、左右方向に走行する走行体56を備える。走行体56の左端部には、左案内体57を左右方向に回動可能に取り付ける。走行体56の右端部には、右案内体58を左右方向に回動可能に取り付ける。引戸装置は、引戸51を取り付けた引戸取付体101を備える。引戸取付体101は、左案内体57に沿って走行する左ローラ102および右案内体58に沿って走行する右ローラ103を有する。【選択図】図１１
2010101057.tif 000002
【特許請求の範囲】
【請求項１】
左右方向に走行する走行体と、
この走行体に左右方向に回動可能に取り付けられた左案内体および右案内体と、
前記左案内体に沿って走行する左ローラおよび前記右案内体に沿って走行する右ローラを有する引戸取付体と、
この引戸取付体に取り付けられた引戸と、
前記走行体と前記引戸取付体との間に設けられ、前記引戸取付体を後方に付勢する付勢手段と
を備えることを特徴とする引戸装置。
【請求項２】
左案内体は、左側方に向って開口する断面略Ｃ字状の案内溝部を有し、
右案内体は、右側方に向って開口する断面略Ｃ字状の案内溝部を有し、
引戸取付体の左ローラは、前記左案内体の案内溝部内に回転可能に嵌合され、回転しながらその案内溝部に沿って走行し、
前記引戸取付体の右ローラは、前記右案内体の案内溝部内に回転可能に嵌合され、回転しながらその案内溝部に沿って走行する
ことを特徴とする請求項１記載の引戸装置。
【請求項３】
走行体は、左端部後側に形成された左長孔部および右端部後側に形成された右長孔部を有し、
左案内体は、前記左長孔部内に挿通されこの左長孔部に沿って移動する上下方向の後側軸を有し、前記走行体の左端部前側に上下方向の前側軸を中心として回動可能に取り付けられ、
右案内体は、前記右長孔部内に挿通されこの右長孔部に沿って移動する上下方向の後側軸を有し、前記走行体の右端部前側に上下方向の前側軸を中心として回動可能に取り付けられている
ことを特徴とする請求項１または２記載の引戸装置。
【発明の詳細な説明】
【技術分野】
【０００１】
本発明は、引戸取付体の円滑な動きを得ることができる引戸装置に関するものである。
【背景技術】
【０００２】
従来、例えば下記の特許文献１に記載された引戸装置が知られている。
【０００３】
この引戸装置は、左右方向に走行する走行体と、走行体の左端部に取り付けられた前後ガイドレールと、走行体の右端部に取り付けられた円筒状の軸受部材と、前後ガイドレールに沿って走行するローラおよび軸受部材内に挿通されこの軸受部材にて摺動自在に支持された円柱状のロッドを有する引戸取付体と、引戸取付体に取り付けられた引戸と、走行体と引戸取付体との間に設けられ引戸取付体を後方に付勢する付勢手段とを備えている。
【特許文献１】特開２００５−２３５３９号公報（図７、図８等）
【発明の開示】
【発明が解決しようとする課題】
【０００４】
しかしながら、上記従来の引戸装置では、引戸取付体の円柱状のロッド部が円筒状の軸受部材内に挿通されこの軸受部材にて摺動自在に支持された構成であるため、ロッド部の軸受部材に対する摺動に不具合が生じやすく、引戸取付体の円滑な動きが得られないおそれがある。
【０００５】
本発明は、このような点に鑑みなされたもので、引戸取付体の円滑な動きを得ることができる引戸装置を提供することを目的とする。
【課題を解決するための手段】
【０００６】
請求項１記載の引戸装置は、左右方向に走行する走行体と、この走行体に左右方向に回動可能に取り付けられた左案内体および右案内体と、前記左案内体に沿って走行する左ローラおよび前記右案内体に沿って走行する右ローラを有する引戸取付体と、この引戸取付体に取り付けられた引戸と、前記走行体と前記引戸取付体との間に設けられ、前記引戸取付体を後方に付勢する付勢手段とを備えるものである。
【０００７】
請求項２記載の引戸装置は、請求項１記載の引戸装置において、左案内体は、左側方に向って開口する断面略Ｃ字状の案内溝部を有し、右案内体は、右側方に向って開口する断面略Ｃ字状の案内溝部を有し、引戸取付体の左ローラは、前記左案内体の案内溝部内に回転可能に嵌合され、回転しながらその案内溝部に沿って走行し、前記引戸取付体の右ローラは、前記右案内体の案内溝部内に回転可能に嵌合され、回転しながらその案内溝部に沿って走行するものである。
【０００８】
請求項３記載の引戸装置は、請求項１または２記載の引戸装置において、走行体は、左端部後側に形成された左長孔部および右端部後側に形成された右長孔部を有し、左案内体は、前記左長孔部内に挿通されこの左長孔部に沿って移動する上下方向の後側軸を有し、前記走行体の左端部前側に上下方向の前側軸を中心として回動可能に取り付けられ、右案内体は、前記右長孔部内に挿通されこの右長孔部に沿って移動する上下方向の後側軸を有し、前記走行体の右端部前側に上下方向の前側軸を中心として回動可能に取り付けられているものである。
【発明の効果】
【０００９】
請求項１に係る発明によれば、走行体に左右方向に回動可能に取り付けられた左案内体および右案内体と、左案内体に沿って走行する左ローラおよび右案内体に沿って走行する右ローラを有する引戸取付体とを備える構成であるため、引戸取付体の円滑な動きを得ることができ、引戸の操作性の向上を図ることができる。
【００１０】
請求項２に係る発明によれば、引戸取付体の左ローラは左案内体の断面略Ｃ字状の案内溝部内に回転可能に嵌合され回転しながらその案内溝部に沿って走行し、引戸取付体の右ローラは右案内体の断面略Ｃ字状の案内溝部内に回転可能に嵌合され回転しながらその案内溝部に沿って走行する構成であるため、左ローラおよび右ローラが案内溝部内から側方に抜け出ることがなく、しかも、左ローラおよび右ローラの回転走行によって引戸取付体のより一層円滑な動きを得ることができる。
【００１１】
請求項３に係る発明によれば、左案内体は走行体の左長孔部に沿って移動する後側軸を有し走行体の左端部前側に前側軸を中心として回動可能に取り付けられ、右案内体は走行体の右長孔部に沿って移動する後側軸を有し走行体の右端部前側に上下方向の前側軸を中心として回動可能に取り付けられているため、左案内体および右案内体を前側軸を中心として適切に回動させることができる。
【発明を実施するための最良の形態】
【００１２】
本発明の引戸装置の一実施の形態を図面を参照して説明する。
【００１３】
図１ないし図５において、１は戸棚等の収納装置で、この収納装置１は、前面に略矩形状の開口部である前面開口部２を有するとともにこの前面開口部２を介して被収納物（図示せず）が出し入れされる収納空間部３を内部に有する略直方体状の箱形状の収納装置本体４と、この収納装置本体４の前面開口部２を開閉する引戸装置５とにて構成されている。
【００１４】
収納装置本体４は、上下に互いに離間対向する上板11および下板12を備えている。上板11の左端部と下板12の左端部とが左側板13にて連結され、上板11の右端部と下板12の右端部とが右側板14にて連結され、上板11の後端部と下板12の後端部とが後板15にて連結されている。
【００１５】
上板11の上面には、前後に互いに離間対向する左右方向長手状の前後一対のガイドレール21，22が設けられている。各ガイドレール21，22は、上板11の左端部から右端部にわたって位置している。前側のガイドレール21は後方に向って開口する断面略Ｃ字状の案内溝部23を有し、後側のガイドレール22は前方に向って開口する断面略Ｃ字状の案内溝部24を有している。
【００１６】
上板11の上面における両ガイドレール21，22間の位置には、図３ないし図５、図１０等に示されるように、上方に向って開口する断面略コ字状をなす凹溝形状の前後２本の上ガイドレール26，27、すなわち例えば前側の上前ガイドレール26と、この上前ガイドレール26より短い後側の上後ガイドレール27とが設けられている。
【００１７】
上前ガイドレール26は、左右方向長手状の直線状ガイド部28と、この直線状ガイド部28の左右方向両端部に連設された円弧状の円弧状ガイド部29とを有している。上後ガイドレール27は、上前ガイドレール26の直線状ガイド部28より短い左右方向長手状の直線状ガイド部30と、この直線状ガイド部30の左右方向両端部に連設された円弧状ガイド部31とを有している。
【００１８】
なお、上前ガイドレール26の左端部の円弧状ガイド部29が上板11の左端部近傍に位置し、上前ガイドレール26の右端部の円弧状ガイド部29が上板11の右端部近傍に位置している。
【００１９】
また、図２に示されるように、下板12の下面における上ガイドレール26，27と対応する位置には、下方に向って開口する断面略コ字状の前後２本の下ガイドレール36，37、すなわち例えば前側の下前ガイドレール36と、この下前ガイドレール36より短い後側の下後ガイドレール37とが設けられている。下前ガイドレール36は、上前ガイドレール26と同一形状のもので、直線状ガイド部38および円弧状ガイド部39を有している。下後ガイドレール37は、上後ガイドレール27と同一形状のもので、直線状ガイド部40および円弧状ガイド部41を有している。
【００２０】
なお、ガイドレール21，22、上ガイドレール26，27および下ガイドレール36，37にて、引戸装置５の案内手段42が構成されている。
【００２１】
引戸装置５は、図１ないし図５等に示すように、収納装置本体４の前面開口部２を開閉する略矩形板状の複数、すなわち例えば左右一対をなす左引戸51および右引戸52を備えている。そして、前面開口部２の全閉鎖時には両引戸（扉体）51，52が左右方向に並んで同一面上に位置する左右フラット状態（つまり両引戸51，52の各前面が左右方向に並んで同一面上に位置する状態）となり、前面開口部２の開口時には両引戸51，52が前後方向に重なり合って位置する引き違い状態となる。
【００２２】
すなわち、左引戸51は、収納装置本体４に対して回動可能でかつ前後左右方向に移動可能で、閉動作により閉位置に位置して前面開口部２の左側である左半部を閉鎖し、開動作により開位置に位置して前面開口部２の左半部を開口させる。つまり、左引戸51は、前面開口部２の全閉鎖時には左右方向に沿った姿勢で前面開口部２の左半部前方の閉位置に位置し（図３参照）、前面開口部２の左半部開口時には左右方向に沿った姿勢で閉位置の右引戸52の前方の開位置に位置する（図５参照）。また、左引戸51は、開動作初期時および閉動作終期時にのみ、平面視時計回りの回動により左右方向に沿った姿勢から左右方向に対してやや傾斜した傾斜姿勢（右端ほど前方に位置する傾斜姿勢）に姿勢変更する（図４参照）。
【００２３】
同様に、右引戸52は、収納装置本体４に対して回動可能でかつ前後左右方向に移動可能で、閉動作により閉位置に位置して前面開口部２の右側である右半部を閉鎖し、開動作により開位置に位置して前面開口部２の右半部を開口させる。つまり、右引戸52は、前面開口部２の全閉鎖時には左右方向に沿った姿勢で前面開口部２の右半部前方の閉位置に位置し、前面開口部２の右半部開口時には左右方向に沿った姿勢で閉位置の左引戸51の前方の開位置に位置する。また、右引戸52は、開動作初期時および閉動作終期時にのみ、平面視反時計回りの回動により左右方向に沿った姿勢から左右方向に対してやや傾斜した傾斜姿勢（左端ほど前方に位置する傾斜姿勢）に姿勢変更する。
【００２４】
そして、各引戸51，52の上端部には走行ユニットである上走行ユニット53が取り付けられ、各上走行ユニット53はガイドレール21，22および上ガイドレール26，27に走行自在に係合している。各引戸51，52の下端部には走行ユニットである下走行ユニット54が取り付けられ、各下走行ユニット54は下ガイドレール36，37に走行自在に係合している。
【００２５】
ここで、左引戸51に取り付けられた走行ユニット53，54と、右引戸52に取り付けられた走行ユニット53，54とは、左右対称に構成されている点が異なるのみで基本的構成は同一であるため、以下、左引戸51側の走行ユニット53，54を中心に説明する。
【００２６】
上走行ユニット53は、図６ないし図１３等に示すように、ガイドレール21，22に沿って左右方向に走行する走行体56と、走行体56の左端部に前後方向に沿った状態と前後方向に対してやや傾斜した状態との間で上下方向の前側軸（縦軸線）59を中心として左右方向に回動可能に取り付けられた前後方向長手状の左案内体57と、走行体56の右端部に前後方向に沿った状態と前後方向に対してやや傾斜した状態との間で上下方向の前側軸（縦軸線）60を中心として左右方向に回動可能に取り付けられた前後方向長手状の右案内体58とを備えている。なお、左案内体57と右案内体58とは、互いに平行状に配置され、平行状態を略維持したまま左右方向に回動する。
【００２７】
走行体56は、ベース板61を備え、このベース板61は、左右方向長手状で略矩形状の水平板部62と、水平板部62の前端部から下方に向って一体に突出した左右方向長手状で略矩形状の前垂直板部63と、水平板部62の後端部から下方に向って一体に突出した左右方向長手状で略矩形状の後垂直板部64とを有している。
【００２８】
水平板部62の左端縁は前端側に位置し前後方向に沿った縁部分62aとこの縁部分62aの後端に連設され前後方向に対してやや傾斜した方向に沿った縁部分62bとを有し、また水平板部62の右端縁は後端側に位置し前後方向に沿った縁部分62cとこの縁部分62cの前端に連設され前後方向に対してやや傾斜した方向に沿った縁部分62dとを有している（図１１等参照）。
【００２９】
水平板部62の左端部前側には円形状の左孔部65が形成され、左端部後側には左孔部65を中心とする略円弧状の左長孔部66が形成され、この左長孔部66は左端縁の縁部分62bに開口している。水平板部62の右端部前側には円形状の右孔部67が形成され、右端部後側には右孔部67を中心とする略円弧状の右長孔部68が形成され、この右長孔部68は右端縁の縁部分62cに開口している。水平板部62の左右両側には、前後方向長手状の長孔部69，70が形成されている。
【００３０】
また、ベース板61の前垂直板部63の左右方向両端部には前ローラ71が前後方向の軸72を介して回転可能に取り付けられ、この各前ローラ71は前側のガイドレール21の案内溝部23内に回転可能に嵌合され回転しながらその案内溝部23に沿って走行する。
【００３１】
さらに、ベース板61の後垂直板部64の左右方向両端部および左右方向中間部には後ローラ73が前後方向の軸74を介して回転可能に取り付けられ、この各後ローラ73は後側のガイドレール22の案内溝部24内に回転可能に嵌合され回転しながらその案内溝部24に沿って走行する。後垂直板部64の左右方向中央部には、係合ピン75が取り付けられている。なお、右引戸52に取り付けられた上走行ユニット53では、係合ピン75が前垂直板部63の左右方向中央部に取り付けられている。
【００３２】
左案内体57は、前後方向長手状の案内本体81と、案内本体81の前側に取り付けられ上端側が案内本体81の上面から上方に向って突出した上下方向の前側軸59と、案内本体81の後側に取り付けられ上端側が案内本体81の上面から上方に向って突出した上下方向の後側軸82とを有している。
【００３３】
案内本体81には、左側方である外側方に向って開口する断面略Ｃ字状をなす前後方向の案内溝部83が形成されている。この案内溝部83は、溝内上面84、溝内下面85、内方側の溝内側面86および外方側の溝内側面87を有している（図９参照）。
【００３４】
左案内体57の前側軸59は、走行体56のベース板61の水平板部62の左孔部65に嵌挿され、この前側軸59のうち左孔部65から上方に突出した上端部には略円板状の抜止め部材88が取り付けられている。また、左案内体57の後側軸82は、走行体56のベース板61の水平板部62の左長孔部66内にこの左長孔部66に沿って左右方向に移動可能に挿通され、この後側軸82のうち左長孔部66から上方に突出した上端部には略円板状の抜止め部材89が取り付けられている。この抜止め部材89は、左案内体57の回動時に水平板部62の左端部の上面上を摺動する。
【００３５】
右案内体58は、例えば左案内体57と左右対称をなすもので、前後方向長手状の案内本体91と、案内本体91の前側に取り付けられ上端側が案内本体91の上面から上方に向って突出した上下方向の前側軸60と、案内本体91の後側に取り付けられ上端側が案内本体91の上面から上方に向って突出した上下方向の後側軸92とを有している。
【００３６】
案内本体91には、右側方である外側方に向って開口する断面略Ｃ字状をなす前後方向の案内溝部93が形成されている。この案内溝部93は、溝内上面94、溝内下面95、内方側の溝内側面96および外方側の溝内側面97を有している（図９参照）。
【００３７】
右案内体58の前側軸60は、走行体56のベース板61の水平板部62の右孔部67に嵌挿され、この前側軸60のうち右孔部67から上方に突出した上端部には略円板状の抜止め部材98が取り付けられている。また、右案内体58の後側軸92は、走行体56のベース板61の水平板部62の右長孔部68内にこの右長孔部68に沿って左右方向に移動可能に挿通され、この後側軸92のうち右長孔部68から上方に突出した上端部には略円板状の抜止め部材99が取り付けられている。この抜止め部材99は、右案内体58の回動時に水平板部62の右端部の上面上を摺動する。なお、前側軸59，60および後側軸82，92の各下端部には、略円板状の抜止め部材100が取り付けられている。
【００３８】
また、上走行ユニット53は、図６ないし図１３等に示すように、左案内体57の案内溝部83に沿って前後方向（前後方向に対してやや傾斜した方向を含む）に走行する複数、例えば前後２つの左ローラ102および右案内体58の案内溝部93に沿って前後方向（前後方向に対してやや傾斜した方向を含む）に走行する複数、例えば前後２つの右ローラ103を有し左引戸51が取り付けられこの左引戸51を支持する引戸取付体101を備えている。
【００３９】
引戸取付体101は、ベース板106を備え、このベース板106は、左右方向長手状で略矩形状の水平板部107と、水平板部107の前端部から下方に向って一体に突出した左右方向長手状で略矩形状の引戸取付部である前垂直板部108と、水平板部107の左端部後側から下方に向って突出した略矩形状の左垂直板部109と、水平板部107の右端部後側から下方に向って突出した略矩形板状の右垂直板部110とを有している。
【００４０】
また、ベース板106の水平板部107の下面の左右両側からは、上下方向のローラ用軸111，112が下方に向って突出して走行体56の水平板部62の長孔部69，70に挿通され、このローラ用軸111，112の下端部に水平ローラ113，114が回転可能に取り付けられている。そして、左側の水平ローラ113は上前ガイドレール26内に回転可能に嵌合され回転しながらその上前ガイドレール26に沿って走行し、右側の水平ローラ114は上後ガイドレール27内に回転可能に嵌合され回転しながらその上後ガイドレール27に沿って走行する。
【００４１】
さらに、ベース板106の前垂直板部108の左右両側には戸吊具115が取り付けられ、この戸吊具115を介して左引戸51がベース板106の前垂直板部108に吊下げ状態として取り付けられている。この戸吊具115の基本的構成は、例えば特願２００７−１１４６４８号明細書に記載されたものと同一で、左右調整用ねじおよび上下調整用ねじ等を有している。
【００４２】
なお、引戸取付体101の前垂直板部108に戸吊具115を取り付けた構成には限定されず、左引戸51の上端部に戸吊具115を取り付けた構成でもよい。
【００４３】
また、ベース板106の左垂直板部109の前後方向両端部には、左ローラ102が左垂直板部109の内方近傍に位置するように左右方向の軸116を介して回転可能に取り付けられ、これら前後２つの左ローラ102は左案内体57内に前後に互いに離間対向した状態で収納配設されている。つまり、各左ローラ102は、左案内体57の案内溝部83内に外側方に抜け出ない状態で回転可能に嵌合され、左引戸51の開動作初期時および閉動作終期時には所定方向に回転しながらその案内溝部83に沿って走行する。
【００４４】
例えば図１０に示すように、左引戸51の開動作初期時には、前側の左ローラ102は下端が案内溝部83の溝内下面85に圧接した状態で所定方向（図１０中、時計回り）に回転しながら前方に走行し、後側の左ローラ102は上端が案内溝部83の溝内上面84に圧接した状態で所定方向（図１０中、反時計回り）に回転しながら前方に走行する。また、各左ローラ102は、内方側の溝内側面86との当接により内方側への移動が規制され、外方側の溝内側面87との当接により外方側への移動が規制される。
【００４５】
同様に、ベース板106の右垂直板部110の前後方向両端部には、右ローラ103が右垂直板部110の内方近傍に位置するように左右方向の軸117を介して回転可能に取り付けられ、これら前後２つの右ローラ103は右案内体58内に前後に互いに離間対向した状態で収納配設されている。つまり、各右ローラ103は、右案内体58の案内溝部93内に外側方に抜け出ない状態で回転可能に嵌合され、左引戸51の開動作初期時および閉動作終期時には所定方向に回転しながらその案内溝部93に沿って走行する。
【００４６】
なお、図示しないが、右ローラ103は、左ローラ102と同じように、例えば左引戸51の開動作初期時には前側の右ローラ103は下端が溝内下面95に圧接した状態で回転しながら前方に走行し、後側の右ローラ103は上端が溝内上面94に圧接した状態で前側のとは反対方向に回転しながら前方に走行し、また内方側の溝内側面96との当接により内方側への移動が規制されかつ外方側の溝内側面97との当接により外方側への移動が規制される。
【００４７】
さらに、上走行ユニット53は、図８および図１１等に示すように、走行体56と引戸取付体101との間に設けられ引戸取付体101を後方に付勢する付勢手段である引張コイルばね121を備えている。引張コイルばね121の一端部である前端部が引戸取付体101のベース板106の水平板部107の下面に取り付けられ、引張コイルばね121の他端部である後端部が走行体56のベース板61の水平板部62の上面に取り付けられている。
【００４８】
また、走行体56のベース板61の水平板部62の上面には、左引戸51の閉動作終期時に引張コイルばね121の付勢力による引戸取付体101の速度（左引戸51の閉動作速度）を徐々に減少させるガススプリング等の緩衝手段122が取り付けられている。この緩衝手段122は、本体部123とこの本体部123内に対して出入りするロッド部124とを有し、引戸取付体101のベース板106の水平板部107の下面にはロッド部124の先端が当接するロッド受け部材125が取り付けられている（図４参照）。
【００４９】
さらに、後側のガイドレール22の案内溝部24内には、左引戸51の閉動作終期時および開動作終期時に走行体56の係合ピン75との係合により走行体56の速度（左引戸51の速度）を徐々に減少させる緩衝手段（図示せず）が配設されている。また、前側のガイドレール21の案内溝部23内には、右引戸52の閉動作終期時および開動作終期時に走行体56の係合ピン75との係合により走行体56の速度（右引戸52の速度）を徐々に減少させる緩衝手段（図示せず）が配設されている。
【００５０】
また、図２に示すように、下走行ユニット54は、上走行ユニット53とは異なり、走行体56および案内体57，58に相当する構成を有さず、引戸51，52の下端部に取り付けられた引戸取付体126を備えている。
【００５１】
この引戸取付体126は、水平板部127の上面左右両側から上方に向って突出した上下方向のローラ用軸（図示せず）を有し、この各ローラ用軸の上端部に水平ローラが回転可能に取り付けられている。そして、左側の水平ローラは下前ガイドレール36内に回転可能に嵌合され回転しながらその下前ガイドレール36に沿って走行し、右側の水平ローラは下後ガイドレール37内に回転可能に嵌合され回転しながらその下後ガイドレール37に沿って走行する。
【００５２】
なお、図１および図２に示されるように、左引戸51の前面右端部および右引戸52の前面左端部には、取手128が設けられている。
【００５３】
次に、上記収納装置１の作用等を説明する。
【００５４】
図３および図１１に示すように、収納装置本体４の前面開口部２の全閉鎖時には、両引戸51，52は、左右方向に沿った姿勢で閉位置に位置して左右フラット状態となっている。
【００５５】
この状態では、左案内体57および右案内体58はいずれも前後方向に沿った状態で互いに平行に位置し、左案内体57の後側軸82は左長孔部66の左端に位置し、右案内体58の後側軸92は右長孔部68の左端に位置している。また、引戸取付体101の水平ローラ113，114は上ガイドレール26，27の円弧状ガイド部29，31の後端に位置し、引戸取付体126の水平ローラは下ガイドレール36，37の円弧状ガイド部39，41の後端に位置している。
【００５６】
そして、例えば収納装置本体４の前面開口部２の左半部を開口させる場合、操作者は、取手128を把持し、引張コイルばね121の付勢力に抗して左引戸51を手前に引く。
【００５７】
すると、図４および図１２に示すように、左引戸51は、前方に移動しながら回動して左右方向に沿った姿勢から左右方向に対してやや傾斜した傾斜姿勢に姿勢変更する。
【００５８】
すなわち、上走行ユニット53の引戸取付体101の水平ローラ113，114が上ガイドレール26，27の円弧状ガイド部29，31に沿って走行しかつ下走行ユニット54の引戸取付体126の水平ローラが下ガイドレール36，37の円弧状ガイド部39，41に沿って走行することにより、引戸取付体101，126が左引戸51と一体となって前方に移動しながら回動する。
【００５９】
この際、停止状態の走行体56に対して左案内体57が前側軸59を中心として後側軸82が左長孔部66に沿って移動するように右方向に回動し、引戸取付体101の左ローラ102がその回動中の左案内体57の案内溝部83に沿って前方に走行し、かつ、停止状態の走行体56に対して右案内体58が前側軸60を中心として後側軸92が右長孔部68に沿って移動するように右方向に回動し、引戸取付体101の右ローラ103がその回動中の右案内体58の案内溝部93に沿って前方に走行する。このため、引戸取付体101は、左引戸51の重量を受けているにも拘らず、左右のローラ102，103の回転により左右の案内体57，58に沿って前方にスムーズに走行し、引戸取付体101の円滑な動きが得られる。
【００６０】
続いて、操作者は、取手128を把持したまま、左引戸51を右側に動かす。すると、図５および図１３に示すように、左引戸51は、前方に移動しながら回動して左右方向に沿った姿勢に復帰した後、開位置まで右方向に移動し、その結果、両引戸51，52が前後方向に重なり合った引き違い状態となり、前面開口部２の左半部が開口する。
【００６１】
すなわち、引戸取付体101の水平ローラ113，114が上ガイドレール26，27の円弧状ガイド部29，31および直線状ガイド部28，30に沿って走行するとともに引戸取付体126の水平ローラが下ガイドレール36，37の円弧状ガイド部39，41および直線状ガイド部38，40に沿って走行しかつ走行体56がガイドレール21，22に沿って走行することにより、引戸取付体101，126が左引戸51と一体となって前方に移動しながら回動した後、右方向に移動する。
【００６２】
この際、走行中の走行体56に対して左案内体57が元の前後方向に沿った状態になるまで左方向に回動し、引戸取付体101の左ローラ102がその回動中の左案内体57の案内溝部83に沿って前方に走行し、かつ、走行中の走行体56に対して右案内体58が元の前後方向に沿った状態になるまで左方向に回動し、引戸取付体101の右ローラ103がその回動中の右案内体58の案内溝部93に沿って前方に走行する。このため、引戸取付体101は、左引戸51の重量を受けているにも拘らず、左右のローラ102，103の回転により左右の案内体57，58に沿って前方にスムーズに走行し、引戸取付体101の円滑な動きが得られる。
【００６３】
なお、前面開口部２の左半部を閉鎖する場合は、左引戸51を操作して閉動作を行なわせ、この閉動作終期時には、上述の開動作初期時と同様、引戸取付体101は、左右のローラ102，103の回転により左右の案内体57，58に沿って後方にスムーズに走行し、引戸取付体101の円滑な動きが得られる。なお、前面開口部２の右半部を開閉する場合は、右引戸52を操作すればよい。
【００６４】
そして、このような収納装置１によれば、走行体56に左右方向に回動可能に取り付けられた左案内体57および右案内体58と、左案内体57に沿って前後方向に走行する左ローラ102および右案内体58に沿って前後方向に走行する右ローラ103を有する引戸取付体101とを備える構成であるため、引戸51，52の開動作初期時および閉動作終期時に、引戸取付体101の円滑な動きを得ることができ、引戸51，52の操作性の向上を図ることができる。
【００６５】
また、引戸取付体101の左ローラ102は左案内体57の断面略Ｃ字状の案内溝部83内に回転可能に嵌合され回転しながらその案内溝部83に沿って前後方向に走行し、引戸取付体101の右ローラ103は右案内体58の断面略Ｃ字状の案内溝部93内に回転可能に嵌合され回転しながらその案内溝部93に沿って前後方向に走行する構成であるため、左ローラ102および右ローラ103が案内溝部83，93内から外側方に抜け出ることがなく、しかも、左ローラ102および右ローラ103の回転走行によって引戸取付体101のより一層円滑な動きを得ることができる。
【００６６】
なお、上記実施の形態では、左右一対の引戸51，引戸52を備えた構成について説明したが、例えば１つの引戸或いは３つ以上の引戸を備えた構成等でもよい。
【００６７】
また、上前ガイドレール26の円弧状ガイド部29は、例えば図１４に示すように、上後ガイドレール27の円弧状ガイド部31より大きな曲率半径のものでもよい。具体的には、円弧状ガイド部29の曲率半径を円弧状ガイド部31の曲率半径の５〜７．５倍とするのが好ましい。
【００６８】
さらに、例えば操作者が把持する取手128を左引戸51の前面左端部および右引戸52の前面右端部に設けた構成等でもよく、また例えば引戸51，52の前面に凹状の取手部を形成した構成等でもよい。
【図面の簡単な説明】
【００６９】
【図１】本発明の一実施の形態に係る引戸装置を備えた収納装置の上方斜視図である。
【図２】同上収納装置の下方斜視図である。
【図３】同上収納装置の開口部の全閉鎖時の平面図である。
【図４】同上収納装置の左引戸の開動作初期時の平面図である。
【図５】同上収納装置の開口部の開口時の平面図である。
【図６】同上収納装置の上走行ユニットの上方斜視図である。
【図７】同上の上走行ユニットの下方斜視図である。
【図８】同上の上走行ユニットの分解斜視図である。
【図９】同上の上走行ユニットの背面視断面図である。
【図１０】同上の上走行ユニットの側面視断面図である。
【図１１】同上の上走行ユニットの開口部の全閉鎖時の平面図である。
【図１２】同上の上走行ユニットの左引戸の開動作初期時の平面図である。
【図１３】同上の上走行ユニットの開口部の開口時の平面図である。
【図１４】上前ガイドレールの円弧状ガイド部の曲率半径を上後ガイドレールの円弧状ガイド部の曲率半径より大きくした変形例を示す平面図である。
【符号の説明】
【００７０】
５    引戸装置
51    引戸である左引戸
52    引戸である右引戸
56    走行体
57    左案内体
58    右案内体
59，60    前側軸
66    左長孔部
68    右長孔部
82，92    後側軸
83，93    案内溝部
101   引戸取付体
102   左ローラ
103   右ローラ
121   付勢手段である引張コイルばね
【図１】
2010101057.tif 000003
【図２】
2010101057.tif 000004
【図３】
2010101057.tif 000005
【図４】
2010101057.tif 000006
【図５】
2010101057.tif 000007
【図６】
2010101057.tif 000008
【図７】
2010101057.tif 000009
【図８】
2010101057.tif 000010
【図９】
2010101057.tif 000011
【図１０】
2010101057.tif 000012
【図１１】
2010101057.tif 000013
【図１２】
2010101057.tif 000014
【図１３】
2010101057.tif 000015
【図１４】
2010101057.tif 000016